(57)【要約】【課題】  取付施工の手間を少なくすることができ、また戸当りに位置ずれが生じることなく取付施工を行なうことができるドア枠の取付構造を提供する。【解決手段】  戸当り１を設けた固定片２の側端部に額縁片３を設けて固定片２と額縁片３とから断面Ｌ字形に枠本体４を形成すると共に戸当り１の内側に側方へ開口する差込み溝５を凹設する。差込み片６の側端部に額縁片７を設けて断面Ｌ字形に枠半体８を形成する。枠本体４の額縁片３を壁９の一方の表面に当接させた状態で壁９の開口部１０の内周面に沿って固定片２を固定することによって枠本体４を開口部１０に取り付ける。枠半体８の差込み片６の先部を枠本体４の差込み溝５に深浅自在に差し込むと共に枠半体８の額縁片３を壁９の他方の表面に当接させた状態で枠半体８を開口部１０に取り付けることによって、枠本体４と枠半体８とから断面コ字形に形成されるドア枠１１を壁９の開口部１０に取り付ける。【選択図】  図１
2006125018.tif 000002
【特許請求の範囲】
【請求項１】
外面に戸当りを設けた固定片の一方の側端部に額縁片を設けて固定片と額縁片とから断面Ｌ字形に枠本体を形成すると共に戸当りの内側に額縁片と反対側の側方へ開口する差込み溝を凹設し、差込み片の一方の側端部に額縁片を設けて断面Ｌ字形に枠半体を形成し、枠本体の額縁片を壁の一方の表面に当接させた状態で壁の開口部の内周面に沿って固定片を固定することによって枠本体を壁の開口部に取り付け、枠半体の差込み片の先部を枠本体の差込み溝に深浅自在に差し込むと共に枠半体の額縁片を壁の他方の表面に当接させた状態で枠半体を壁の開口部に取り付けることによって、枠本体と枠半体とから断面コ字形に形成されるドア枠を壁の開口部に取り付けて成ることを特徴とするドア枠の取付構造。
【請求項２】
枠本体の固定片を、壁の開口部に固定される下地材と、下地材の外側に接合した化粧材とから形成し、化粧材によって戸当りを形成すると共に化粧材の内側に差込溝を形成して成ることを特徴とする請求項１に記載のドア枠の取付構造。
【発明の詳細な説明】
【技術分野】
【０００１】
本発明は、壁の開口部に、壁の厚み寸法誤差を許容しつつドア枠を取り付けるための技術に関するものである。
【背景技術】
【０００２】
家屋の間仕切りの壁の開口部にドアを設けるにあたって、開口部の内周にドア枠を取り付ける必要がある。そしてドア枠を壁の開口部に取り付ける際に、壁の厚み寸法は施工の状況等に応じて若干の誤差があるので、この壁の厚み寸法誤差を許容できる工法でドア枠の取り付けを行なう必要があり、従来から各種の工法が提案されている（例えば特許文献１、特許文献２等参照）。
【０００３】
図５はその一例を示すものであり、戸当り１を設けた枠本体２０と両側の額縁２１，２１とからドア枠１１を形成し、枠本体２０の背面側の両側端部に係合凹部２２，２２が凹設してある。そして間仕切り壁などの壁９の開口部１０にドア枠１１を取り付けるにあたっては、まず開口部１０の内周面に枠本体２０を沿わせて壁９に固定する。次に、開口部１０の周縁において壁９の両面にそれぞれ額縁２１，２１を当接させると共に各額縁２１を枠本体２０の係合凹部２２に係合させ、この状態で各額縁２１を壁９に固定することによって、枠本体２０の両側に額縁２１，２１を組み付けて断面コ字形に形成したドア枠１１を壁９に取り付けることができるものである。
【０００４】
そしてこのものでは、壁９の厚み寸法Ｄに誤差があっても、枠本体２０の係合凹部２２に対する額縁２１の係合深さを調整することによって、額縁２１を壁９に密接させた状態で取り付けることができるものであり、壁９の厚み寸法Ｄが厚い場合にドア枠１１を取り付けることができなくなったり、壁９の厚み寸法Ｄが薄い場合に額縁２１と壁９との間に隙間が生じたりすることを防ぐことができるのである。
【特許文献１】特開平８−７４４７４号公報
【特許文献２】特開２０００−１６０９４１号公報
【発明の開示】
【発明が解決しようとする課題】
【０００５】
しかし上記の図５のものにあって、ドア枠１１は枠本体２０と一対の額縁２１，２１の三つの部材から形成されるものであり、三つの部材をそれぞれ壁９の開口部１０に取り付ける必要があるために施工の手間がかかるという問題があった。また、壁９の開口部１０の内周面に枠本体２０を取り付けるにあたって、開口部１０の幅方向（壁９の厚み方向）に枠本体２０を位置決めすることができないので、枠本体２０の取付け位置が壁９の厚み方向で位置ずれすると、開口部１０の左右に対向して取り付けられる各枠本体２０に設けた戸当り１の位置が、開口部１０の幅方向で相互に位置ずれすることになり、開口部１０に取り付けるドアパネル１９を戸当り１に密接させることができなくなるという問題があった。
【０００６】
本発明は上記の点に鑑みてなされたものであり、取付施工の手間を少なくすることができ、また戸当りに位置ずれが生じることなく取付施工を行なうことができるドア枠の取付構造を提供することを目的とするものである。
【課題を解決するための手段】
【０００７】
本発明の請求項１に係るドア枠の取付構造は、外面に戸当り１を設けた固定片２の一方の側端部に額縁片３を設けて固定片２と額縁片３とから断面Ｌ字形に枠本体４を形成すると共に戸当り１の内側に額縁片３と反対側の側方へ開口する差込み溝５を凹設し、差込み片６の一方の側端部に額縁片７を設けて断面Ｌ字形に枠半体８を形成し、枠本体４の額縁片３を壁９の一方の表面に当接させた状態で壁９の開口部１０の内周面に沿って固定片２を固定することによって枠本体４を壁９の開口部１０に取り付け、枠半体８の差込み片６の先部を枠本体４の差込み溝５に深浅自在に差し込むと共に枠半体８の額縁片７を壁９の他方の表面に当接させた状態で枠半体８を壁９の開口部１０に取り付けることによって、枠本体４と枠半体８とから断面コ字形に形成されるドア枠１１を壁９の開口部１０に取り付けて成ることを特徴とするものである。
【０００８】
この発明によれば、枠本体４の差込み溝５に対する枠半体８の差込み片６の差し込み深さの調整によって、枠本体４の額縁片３と枠半体８の額縁片７の間隔寸法を壁９の厚み寸法Ｄに合わせた状態で、壁９の開口部１０に枠本体４と枠半体８から形成されるドア枠１１を取り付けることができ、壁９の表面に額縁片３，７を密着させた状態でドア枠１１の取り付けを行なうことができる。そしてドア枠１１はＬ字形の枠本体４と枠半体８の二部材だけから形成されるものであり、取付施工の手間を少なくすることができる。また戸当り１を設けた枠本体４は、その額縁片３を壁９の表面に当接させた状態で開口部１０に取付けられるものであり、壁９の表面を基準にして開口部１０の幅方向での枠本体４の取付け位置の位置決めを行なうことができ、壁９の開口部１０の幅方向に戸当り１の位置がずれるようなことがなくなる。
【０００９】
また請求項２の発明は、請求項１において、枠本体４の固定片２を、壁９の開口部１０に固定される下地材１２と、下地材１２の外側に接合した化粧材１３とから形成し、化粧材１３によって戸当り１を形成すると共に化粧材１３の内側に差込み溝５を形成して成ることを特徴とするものである。
【００１０】
この発明によれば、枠本体４を表に露出する化粧材１３と、化粧材１３や枠半体８で覆われて表に露出しない下地材１２から形成することができ、下地材１２を合板のような強度が高くて安価な材料で形成することが可能になり、強度の高い下地材１２で取付け強度を高めることができると共にコストを下げることが可能になる。
【発明の効果】
【００１１】
本発明によれば、枠本体４の差込み溝５に対する枠半体８の差込み片６の差し込み深さの調整によって、枠本体４の額縁片３と枠半体８の額縁片７の間隔寸法を壁９の厚み寸法に合わせた状態で、壁９の開口部１０に枠本体４と枠半体８から形成されるドア枠１１を取り付けることができるものであり、壁９の表面に額縁片３，７を密着させた状態でドア枠１１の取り付けを行なうことができるものである。
【００１２】
そしてドア枠１１はＬ字形の枠本体４と枠半体８の二部材だけから形成されるものであり、ドア枠１１を取付ける施工の手間を少なくすることができるものである。また戸当り１を設けた枠本体４は、その額縁片３を壁９の表面に当接させた状態で開口部１０に取付けられるものであり、壁９の表面を基準にして開口部１０の幅方向での枠本体４の取付け位置の位置決めを行なうことができ、壁９の開口部１０の幅方向に戸当り１の位置がずれるようなことがなくなるものである。
【発明を実施するための最良の形態】
【００１３】
以下、本発明を実施するための最良の形態を説明する。
【００１４】
枠本体４は図１（ａ）に示すように固定片２と額縁片３とから水平断面Ｌ字形に形成されるものである。固定片２は、図１の実施の形態では、内側の下地材１２と外側の化粧材１３とから形成するようにしてある。化粧材１３はＭＤＦ等の繊維板などで形成される裏板２４の表面に突き板や樹脂シートなどで形成される化粧シート２５を貼り合わせて形成されるものであり、例えば、一枚物の平板の裏板２４の外面側に化粧シート２５を接着すると共に裏板２４の背面側に溝加工を施し、溝加工部分で化粧シート２５を折り曲げることによって裏板２４を溝部分で屈曲すると共に接着剤で接着し、図１（ａ）に示すように、化粧材１３を水平断面Ｌ字形に屈曲した形状に形成してある。枠本体４の化粧材１３は固定片２の外側部分を構成する化粧片２６と額縁片３とからＬ字形断面に形成されるものであり、化粧片２６の額縁片３と反対側の側端には内側へ突出させるように屈曲させて戸当り１が形成してある。また額縁片３の化粧片２６と反対側の側端には内側へ突出させるように屈曲させて当接部２７が形成してある。
【００１５】
また下地材１２は表に露出しない部材であるので、外観にこだわる必要がなく、合板のような強度が高く、安価な材料で形成することができるものである。この下地材１２の幅方向の略半分は厚みの厚い厚肉部２８、他の略半分は厚みの薄い薄肉部２９として形成してある。そして下地材１２の厚肉部２８の外面に上記化粧材１３の化粧片２６の背面を、厚肉部２８の薄肉部２９と反対側の側面に額縁片３を接着することによって、下地材１２に化粧材１３の化粧片２６を接合し、枠本体４の固定片２を下地材１２と化粧材１３の化粧片２６とで形成することができるものである。このとき、化粧片２６の先端の戸当り１と下地材１２の薄肉部２９の外面との間に、額縁片３と反対側へ向けて開口する差込溝５が形成されるものである。
【００１６】
一方、枠半体８は図１（ａ）に示すように差込み片６と額縁片７とから水平断面Ｌ字形に形成されるものである。枠半体８は裏板２４の外面に化粧シート２５を接着して形成した上記と同様な化粧材１３を用いて作製されるものであり、上記と同様に裏板２４の背面側に施した溝加工部分で化粧シート２５を折り曲げて裏板２４を屈曲・接着することによって、差込み片６と額縁片７とからなるＬ字形断面の枠半体８を化粧材１３で形成するようにしてある。額縁片７の差込み片６と反対側の側端には内側へ突出させるように屈曲させて当接部３０が形成してあり、また差し込み片６の先端の背面部には差込みガイド用の傾斜面３１が面取りして形成してある。
【００１７】
上記の枠本体４と枠半体８からドア枠１１が形成されるものであり、壁９の開口部１０にドア枠１１を取り付ける施工を図１で説明する。壁９は例えば屋内の部屋と廊下や、部屋と部屋を仕切る仕切壁として形成されるものであり、その出入口として開口部１０が形成されている。ドア枠１１は主として開口部１０の左右の縦辺に縦枠として取り付けられるものである。
【００１８】
そして先ず図１（ａ）のように、枠本体４を壁９の開口部１０に沿って縦に配置し、開口部１０の内周面に固定片２の下地材１２を当接させると共に額縁片３の当接部２７を壁９の一方の表面に当接させ、この状態で開口部１０の内周面に固定片２を固定して、枠本体４を壁９の開口部１０に取り付ける。固定片２の固定は、固定片２の下地材１２の薄肉部２９から壁９に釘３２等の固着具を打入することによって行なうことができる。ここで、下地材１２を上記のように強度の高い合板などで形成しておくことによって、下地材１２に釘３２等を打入して枠本体４の固定を行なうにあたって、固定強度を高く得ることができるものである。次に、枠半体８の差込み片６を固定片２の下地材１２の薄肉部２９の外面に沿ってスライドさせ、差込み片６の先端部を枠本体４の差込み溝５に差込み、図１（ｂ）のように額縁片７の当接部３０が壁９の他方の表面に当接するように差込み溝５への差込み片６の差し込み深さを調整し、この状態で壁９の開口部１０に枠半体８を固定する。枠半体８の固定は、差込み片６から壁９に釘３２等を打入したり、額縁片７から釘３２等を打入したりすることによって行なうことができる。
【００１９】
このように、枠本体４の差込み溝５に枠半体８の差込み片６を差し込み係合することによって、枠本体４と枠半体８から水平断面コ字形のドア枠１１を組み立てることができると共に、壁９の開口部１０へのドア枠１１の取り付けを行なうことができるものである。ドア枠１１は上記の施工で壁９の開口部１０の左右の縦辺にそれぞれ図２のように取り付けられるものであり、開口部１０の上辺は天井３３で形成されるので、図３のように開口部１０の上辺には上ドア枠３４を取り付けるようにしてある。そして図４に示すように、左右のドア枠１１，１１と上ドア枠３４から形成される開口枠３５の内側にドアパネル１９が取り付けられるものである。
【００２０】
ここで、枠本体４はその額縁片３の当接部２７を壁９の一方の表面に当接させた状態で開口部１０に取り付けるようにしてあり、また枠半体８はその差込み片６を枠本体４の差込み溝５に差し込んで額縁片７の当接部３０を壁９の他方の表面に当接させた状態で開口部１０に取り付けるようにしてある。従って、壁９の厚み寸法Ｄに誤差があっても、枠本体４の差込み溝５に対する枠半体８の差込み片６の差し込み深さの調整によって、枠本体４の額縁片３と枠半体８の額縁片７の間隔寸法を壁９の厚み寸法Ｄに合わせた状態で取り付けを行なうことができるものであり、壁９の表面に額縁片３，７を密着させた状態でドア枠１１の取り付けを行なうことができるものである。
【００２１】
また、枠本体４はその額縁片３の当接部２７を壁９の一方の表面に当接させた状態で開口部１０に取り付けるようにしてあるので、枠本体４は壁９の厚み方向で位置決めされた状態で開口部１０に取り付けることができる。このため、壁９の内周面への枠本体４の取り付け位置は壁９の一方の面を基準にして位置決めされ、枠本体４に設けられた戸当り１の開口部１０の幅方向（壁９の厚み方向）での位置は一定になる。従って、開口部１０の左右においてドア枠１１，１１を取り付けるにあたって、各ドア枠１１，１１の戸当り１，１の開口部１０の幅方向（壁９の厚み方向）での位置を揃えることができるものであり、図２のように各ドア枠１１，１１の戸当り１，１を位置ずれするようなことなく正確な位置で対向させることができるものであり、ドア枠１１，１１間に取り付けられるドアパネル１９を閉じるにあたって、戸当り１，１にドアパネル１９を密接させることができなくなるようなことを防ぐことがでできるものである。
【図面の簡単な説明】
【００２２】
【図１】本発明の実施の形態の一例を示すものであり、（ａ），（ｂ）はそれぞれ横断面図である。
【図２】同上の縮小した横断面図である。
【図３】同上の上ドア枠の部分の縮小した縦断面図である。
【図４】同上のドアパネルを取り付けた状態の縮小した正面図である。
【図５】従来例の横断面図である。
【符号の説明】
【００２３】
１  戸当り
２  固定片
３  額縁片
４  枠本体
５  差込み溝
６  差込み片
７  額縁片
８  枠半体
９  壁
１０  開口部
１１  ドア枠
１２  下地材
１３  化粧材
【図１】
2006125018.tif 000003
【図２】
2006125018.tif 000004
【図３】
2006125018.tif 000005
【図４】
2006125018.tif 000006
【図５】
2006125018.tif 000007